(57)【要約】本発明は、場所認識媒体情報を供給する方法（及び対応するシステム）、より具体的には、オーディオコンテンツを表現可能なオーディオ表現装置により場所認識オーディオコンテンツを供給する方法に係る。処理手段（３０１）を有するオーディオ源（４０１）上には、オーディオ源に取付けられる、オーディオ源の近くにある、又はオーディオ源の遠くにある１つ以上のオーディオ表現装置の位置を見つけるために１つ以上のセンサ（４０４）が位置付けられ得る。これらのセンサは、信号を受信することにより、利用可能なオーディオ表現装置の場所を決定するよう用いられる。表示装置（４０６）の前のユーザの作業位置に対するオーディオ表現装置（４０２、４０３）の場所は、オーディオ源により推定され、それにより、所望の音信号が供給されるよう本発明の方法に応じてオーディオ表現装置に情報アイテムを供給する。
2005538589.tif 000002
【特許請求の範囲】
【請求項１】
オーディオコンテンツを表現可能なオーディオ表現装置により場所認識媒体コンテンツを供給する方法であって、
処理ユニットにおいて、前記オーディオ表現装置の場所を表す少なくとも１つの場所パラメータを得る段階と、
前記処理ユニットにおいて、前記得た少なくとも１つの場所パラメータに基づいて、現在のオーディオコンテンツを処理し、それにより、前記少なくとも１つの場所パラメータに依存する前記現在のオーディオコンテンツに対する場所認識オーディオコンテンツを得る段階と、
前記オーディオ表現装置により前記得た場所認識オーディオコンテンツを表現する段階と、
を有する方法。
【請求項２】
前記処理ユニットは、
前記オーディオ表現装置から前記少なくとも１つの場所パラメータを受信する段階と、
前記得た場所認識オーディオコンテンツを表現する前に、前記得た場所認識オーディオコンテンツを前記オーディオ表現装置に送信する段階と、
を有する請求項１記載の方法。
【請求項３】
前記処理ユニットは、オーディオ表現装置により構成され、
前記処理装置は、
前記現在のオーディオコンテンツを受信する段階と、
前記オーディオ表現装置により前記得た場所認識オーディオコンテンツを表現する段階と、
を有する請求項１記載の方法。
【請求項４】
前記少なくとも１つの場所パラメータは、ユーザの作業空間に関するパラメータとして決定される請求項１乃至３記載の方法。
【請求項５】
前記オーディオコンテンツを処理する段階は、前記オーディオ表現装置のオーディオ再生能力を用いて処理する段階を有する請求項１乃至４記載の方法。
【請求項６】
オーディオコンテンツを表現可能なオーディオ表現装置により場所認識媒体コンテンツを供給するシステムであって、
処理ユニットにおいて、前記オーディオ表現装置の場所を表す少なくとも１つの場所パラメータを得る手段と、
前記処理ユニットにおいて、前記得た少なくとも１つの場所パラメータに基づいて、現在のオーディオコンテンツを処理し、それにより、前記少なくとも１つの場所パラメータに依存する前記現在のオーディオコンテンツに対する場所認識オーディオコンテンツを得る手段と、
前記オーディオ表現装置により前記得た場所認識オーディオコンテンツを表現する手段と、
を有するシステム。
【請求項７】
前記処理ユニットは、
前記オーディオ表現装置から前記少なくとも１つの場所パラメータを受信する手段と、
前記得た場所認識オーディオコンテンツを表現する前に、前記得た場所認識オーディオコンテンツを前記オーディオ表現装置に送信する手段と、
を有する請求項６記載のシステム。
【請求項８】
前記処理ユニットは、オーディオ表現装置により構成され、
前記処理装置は、
前記現在のオーディオコンテンツを受信する手段と、
前記オーディオ表現装置により前記得た場所認識オーディオコンテンツを表現する手段と、
を有する請求項６記載のシステム。
【請求項９】
前記少なくとも１つの場所パラメータは、ユーザの作業空間に関するパラメータとして決定される請求項６乃至８記載のシステム。
【請求項１０】
前記オーディオコンテンツを処理する段階は、前記オーディオ表現装置のオーディオ再生能力を用いて処理する段階を有する請求項６乃至９記載のシステム。
【請求項１１】
請求項１乃至５のうちいずれか一項記載の方法をプロセッサに実行させるプログラムを有するコンピュータ可読媒体。
【発明の詳細な説明】
【技術分野】
【０００１】
本発明は、場所認識媒体情報を供給する方法、より具体的には、オーディオコンテンツを表現可能なオーディオ表現装置により場所認識オーディオコンテンツを供給する方法に係る。
【０００２】
本発明は更に、上述の方法を行うシステムと、上述の方法を行うためのコンピュータプログラムに係る。
【背景技術】
【０００３】
ＤＥ１９６４６０５５は、再生装置、スピーカシステム、及び、心理音響信号処理を適用することにより聴衆の空間体験を向上する信号処理ユニットを有するオーディオ再生システムを開示する。スピーカシステムの物理的な配置は、表現されたオーディオを、例えば、空気中におけるオーディオの速度を補償するよう処理することにより支援される。音源からのオーディオ出力は、傾聴する耳に、表現されるオーディオはスピーカが実際には置かれていない方向から来ると信じ込ませる効果を有するよう処理される。
【０００４】
例えば、部屋のサイズを実質上拡大する及び／又は音を実質上動かすといったこのような種類のオーディオ処理は、部屋のサイズ及び／又は周囲のスピーカの数が制限される消費者関連媒体プロダクションと共に一般的に用いられる。処理され且つ音像化／再現化されたオーディオは、必ずしも記録されたときの楽器の実際の配置を反映しないが、多くは、別の場所、即ち、コンサートホール、教会、外野シーン等の感覚をもたらす。しかし、システムにおいて物理的に利用可能なスピーカの実際の配置に関する情報を得るためには、部屋特性等を補正するよう音源を処理する前に較正手順を与える必要がある。この較正は、利用可能なスピーカのそれぞれに対するインパルス応答を有し得、このインパルス応答は、群遅延及び周波数応答等のスピーカとは関係のない特徴を有し得る。
【０００５】
例えば、遮音室のような特別なオーディオ的に最適化された環境において、上述の方法は、オーディオ信号を望ましく再現するために許容可能なインパルス応答を得るのに十分であり得る。
【０００６】
しかし、居間や台所等のような実際の環境では、較正手順時の部屋の残響、背景雑音、プローブマイクロホンの配置等によって傾聴者による信用性を達成するための確かなインパルス応答を得ようと試みることは大変困難である。
【０００７】
オーディオを、オーディオ配置に対し最適に処理するためには、スピーカシステムに対しインパルス応答を必ずしも問う必要はない。処理装置は、許容可能な処理スキームの推定のためにスピーカと傾聴者の正確な配置を知る必要はあり得る。
【０００８】
人間の耳は、スピーカ配置における僅かなずれは許容するが、音が、例えば、実際には、右のスピーカから再生されているのに左のスピーカから再生されていると傾聴者に思わせることは不可能である。従って、傾聴者を、スピーカ配置に関し満足させ、納得させるには、スピーカは、実際に、音の目的場所の比較的付近に配置しなければならない。
【０００９】
このために、スピーカを選択されたスポット上に物理的に配置し、このスピーカに、この場所に適切であり得る材料を再生させることが好都合であり得る。
【００１０】
例えば、音楽を再生するスピーカが傾聴者の近くに配置される場合、傾聴者は、所与の音レベルを観察し得る。そのスピーカが傾聴者から離れた距離に配置される場合、再生スピーカは、スピーカが傾聴者の近くに配置されていたときと同じ音レベルを傾聴者が得られるようより大きな力を出さなければならない。
【００１１】
本発明のスピーカシステムは、例えば、オルガンが左側で弾かれ、ギターが右側で弾かれているテレビジョン上のコンサートを見ているときに使用することができるであろう。左側にオーディオ表現装置を位置付けるとオルガンの音を表現し、右側にオーディオ表現装置を位置付けるとギターの音を表現し得る。
【００１２】
左オーディオ信号及び右オーディオ信号が表現されるが、傾聴者の左側に配置された１つのスピーカしか利用可能でない場合、左信号だけを再生して、傾聴者の空間混同を避けることが望ましい。同様に、スピーカが、傾聴者の前に配置される場合は、再生されるオーディオは、左オーディオチャネルと右オーディオチャネルの適切な混合を有し得る。
【００１３】
同様に、これは、幾つか（一般的に４乃至６個）のスピーカが傾聴者の周りに配置されて３Ｄ音像を生成するサラウンドサウンド環境における状況でもある。スピーカの場所は、例えば、楽器配置と高精度音位置付けのための音響空間の正確なミラーイングに必要不可欠である。例えば、サラウンドサウンド設定におけるレアスピーカ（傾聴者の背後に位置付けられるスピーカ）が傾聴者に対し正確に左右対称に置かれない限り、例えば、不均一な音遅延、サウンドカラーレーション、音波干渉等の望ましくない影響が明らかとなり得る。更に、サラウンドサウンド環境におけるフロントスピーカが、レアスピーカよりもユーザからより遠くに配置される場合、例えば、増幅器のフロント／レアバランス制御が調整されて、レアスピーカが音像を支配しないようにしなければならない。しかし、レアスピーカから来る音は、その物理的に短い距離によって傾聴者に依然として最初に到着する。この不利点は、一般的に、家庭用劇場構成では無視されている。
【００１４】
本発明のスピーカシステムは、ユーザが厄介なスピーカ／増幅器調整を必要とすることなく現在の聴覚コンテンツに対して空間においてスピーカを位置付けることを可能にするシステムをユーザに提供する。
【００１５】
スピーカ配置に応じてオーディオを処理するために、音システムは、スピーカ場所を識別することが必要である。ユーザがスピーカの正確な場所を入力することは困難であり、時として、不可能である。従って、音システムが、信号処理の前にスピーカ配置を自動的に決定可能であることが有利であり得る。
【００１６】
それにより、ユーザは、任意のソフトウェアベースのセットアッププログラムを入力する必要なく又は任意のシステム設定を調整する必要なく、オーディオ表現装置を追加することが可能となる。ユーザは、スピーカを有用な領域の中のどこかに位置付けるだけでよく、そして、処理ユニットが、オーディオ表現装置を介してどの聴覚信号を表現するか決定する。
【発明の開示】
【発明が解決しようとする課題】
【００１７】
本発明は、ユーザ干渉を必要とすることなく、上述したスピーカ配置の問題を解決することを目的とする。
【課題を解決するための手段】
【００１８】
この目的は、オーディオコンテンツを表現可能なオーディオ表現装置により場所認識媒体コンテンツを供給する方法（及び対応するシステム）により達成される。この方法は、処理ユニットにおいて、オーディオ表現装置の場所を表す少なくとも１つの場所パラメータを得る段階と、処理ユニットにおいて、得た少なくとも１つの場所パラメータに基づいて、現在のオーディオコンテンツを処理し、それにより、少なくとも１つの場所パラメータに依存する現在のオーディオコンテンツに対する場所認識オーディオコンテンツを得る段階と、オーディオ表現装置により得た場所認識オーディオコンテンツを表現する段階を有する。
【００１９】
本発明は更に、オーディオコンテンツを処理する段階は、オーディオ表現装置のオーディオ能力を考慮に入れる処理段階を有する方法及びシステムを提供することを目的とする。
【００２０】
本発明は、スピーカ配置の任意のプログラミングを考慮する必要なくユーザがスピーカを現在の聴覚コンテンツに対して位置付けることを可能にするシステムを、ユーザに提供する。システムは、そのスピーカを介して表現される聴覚信号を決定する。
【００２１】
オーディオ表現装置は、可聴信号、並びに、人間の耳には聴くことのできない信号も再生可能なスピーカであり得る。一般的に、本発明の考えは、ソース、即ち、オーディオ源のコンテンツからオーディオ表現装置へのオーディオ表現装置の場所に対しての場所認識コンテンツの自動転送を包含する。
【００２２】
オーディオ源は、オーディオ表現装置の場所を検出することができ、且つ、続けてそのオーディオ表現装置に対応するコンテンツを転送することのできるパーソナルコンピュータ、テレビジョン、ビデオカメラ、ゲームユニット、移動電話機等であり得る。
【発明を実施するための最良の形態】
【００２３】
全図面に亘って、同じ参照番号は、同様の又は対応する特徴、機能等を示す。
【００２４】
図１は、参照番号（１０５）と示す傾聴者の前に置かれ、１つ以上の送信器（１０２）を有する参照番号（１０１）と示す、ここでは、スピーカユニットであるオーディオ表現装置を示す。オーディオ源（１０３）上には、参照番号（１０４）と示す１つ以上のセンサが、オーディオ源に取付けられる、オーディオ源の付近にある、又は、オーディオ源から遠くにある１つ以上のオーディオ表現装置の位置を見つけるよう位置付けられ得る。オーディオ表現装置上に位置付けられる又はオーディオ表現装置内に組み込まれる１つ以上の送信器から送信される信号を受信することによりオーディオ表現装置の場所を決定するために幾つかのセンサが用いられる。つまり、このセンサによって、オーディオ源は、オーディオ表現装置の位置を見つける。続いて、オーディオ源は、そのオーディオ表現装置に転送されオーディオ表現装置上で表現されなければならないオーディオコンテンツ（１０６）を表す情報（その見つけた場所に依存する）を決定し得る。
【００２５】
図２は、オーディオ表現装置でコンテンツを表現する方法を示す。
【００２６】
段階２０１において、本発明の１つの好適な実施例による方法を開始する。オーディオ源に対し位置付けられるオーディオ表現装置の状態に対応し、また、オーディオ源に状態に対応する変数、フラグ、バッファ等、場所、コンテンツ、情報アイテム、識別信号の追跡等は、デフォルト値に設定される。
【００２７】
段階２０２において、オーディオ表現装置は、オーディオ源に接続されても又は取付けられてもよい。これは、一般的に、動作させることをユーザが所望するオーディオ表現装置に応じたユーザ動作である。
【００２８】
この段階は、より多くのオーディオ表現装置に対し繰り返され得る。以下の段階はこれに対して適用し得る。
【００２９】
段階２０３において、オーディオ表現装置上に位置付けられる少なくとも１つの送信器が、その装置を識別する対応信号を送信することが好適である。図１において説明したように、１つ以上の送信器が、オーディオ表現装置上に位置付けられるか、又は、オーディオ表現装置内に組み込まれ得る。この又はこれらの送信器は、オーディオ源に、オーディオ表現装置がオーディオ源に接続されていることを伝えるために用いてもよい。対応信号は、オーディオ表現装置、そのタイプ及びその特性等を識別するために用いられ得る。
【００３０】
段階２０４において、少なくとも１つのセンサが少なくとも１つの識別信号を受信し得る。これらのセンサは、オーディオ源上に位置付けられることが好適である。前の段階及び図１において説明したように、識別信号は、オーディオ表現装置上に位置付けられる１つ以上の送信器から送信される。
【００３１】
段階２０５において、オーディオ源は、オーディオ表現装置の第１の場所を入手し得る。
【００３２】
段階２０６において、オーディオ源は、得られた場所情報に基づいて、オーディオコンテンツからどのコンテンツ部分が処理され続いてそのオーディオ表現装置上で再生されるべきかを決定し得る。この段階は、より多くのオーディオ表現装置に対し繰り返され得る。１つ以上の識別信号に基づいて、オーディオ源は、オーディオ表現装置の特定のＸ、Ｙ、Ｚ座標を決定し得る。この座標は、オーディオ源上の固定点か、又は、例えば、部屋等の場所に対して決定され、また、オーディオ源により、受信した識別信号によって測定され得る。
【００３３】
オーディオコンテンツは、電気又は音響信号であり得、アナログ、デジタル、圧縮又は非圧縮オーディオ等、又はこれらの組合わせであり得る。
【００３４】
段階２０７において、段階２０６からのオーディオ部分が、少なくとも１つの場所パラメータに依存して、現在のオーディオコンテンツに対する場所認識オーディオコンテンツを得るよう処理される。
【００３５】
段階２０８において、オーディオ源は、コンテキスト認識オーディオコンテンツをオーディオ表現装置に転送し得る。この第１の情報アイテムは、従来技術から既知である一般的な解決策としてのネットワークにより転送され受信されるか、又は、第１の情報アイテムは、オーディオ表現装置に専用の最適化された通信により受信され得る。
【００３６】
段階２０９において、オーディオ表現装置は、そのコンテキスト認識オーディオコンテンツを受信し、表現／再生し得る。
【００３７】
（オーディオ表現装置上で表現される）コンテキスト認識オーディオコンテンツは更に、現在オーディオ源上で表現されるものに依存し得る。というのは、例えば、ある場合には、違う処理属性で、現在オーディオ源上で表現されるものの一部を表現することが好都合な場合があるからである。
【００３８】
本願において、「表現」、「表現する」等の用語を用いるとき、コンテンツが対応オーディオ表現装置上で再生され得るということを意味すると理解するものとする。
【００３９】
「コンテンツ」という用語は、パーソナルコンピュータ、テレビジョン、ビデオカメラ、ゲームユニット、又は移動電話機等上で一般的に再生されるオーディオ情報であると理解するものとする。この情報、即ち、コンテンツは、電気信号、圧縮又は非圧縮デジタル信号等、又は任意のそれらの組合わせであり得る。
【００４０】
図３は、１つ以上のマイクロプロセッサ（３０２）及び／又はデジタルシグナルプロセッサ（３０６）、記憶ユニット（３０３）、及び、入力／出力手段（３０４）を有し、全てデータバス（３０５）を介し接続されるオーディオ源（３０１）の１つの実施例を示すブロック図である。プロセッサ及び／又はデジタルシグナルプロセッサ（３０６）は、記憶ユニット（３０３）及び入力／出力手段（３０４）の間のインタラクションメカニズムである。入力／出力手段（３０４）は、アクセス可能センサとの通信を担い、動作時には、受信した場所パラメータ等の運搬が行われる。場所パラメータは、入力／出力手段（３０４）を介して遠隔オーディオ表現装置からアップロードされることが可能である。このオーディオ表現装置とセンサ間の通信は、例えば、ＩｒＤａ、ブルートゥース、ＩＥＥＥ８０２．１１、ワイヤレスＬＡＮ等を用いて行われ得るが、この通信は、有線適用ソリューションでも有用である。記憶ユニット（３０４）は、専用コンピュータプログラム又は利用可能なリソース、処理アルゴリズム等の決定のためのアップロードされた場所パラメータ等の関連情報を格納する。
【００４１】
デジタルシグナルプロセッサは、復号化、符号化、エフェクトレイヤリング等といった様々な処理タスクのために特別プログラムされ得る。単一の複数問題（multi-issue）ＤＳＰが、幾つかの処理手段を有するか、又は、複数のＤＳＰが、処理タスクを行うようネスト状にされることが可能である。ネスト状にされる場合、各ＤＳＰは、単一の複数問題ＤＳＰより少ない処理手段が当てられる。
【００４２】
全体処理は、複数のタスクのためのソフトウェアを有する単一の汎用プロセッサ内にも含まれ得る。その場合、処理は、様々な処理機能の中で決定される。ＤＳＰではなく汎用マイクロプロセッサを使用することは、一部のシステム設計において実行可能なオプションである。専用ＤＳＰは、システムにおける信号処理タスクを扱うのによく適しているが、多くの設計は、メモリ管理、ユーザインタラクション、相対的場所推定等の他の処理タスクのためにもマイクロプロセッサを必要とする。システム機能性を１つのプロセッサに組み込むことが、システム部品数を少なくする、電力消費を少なくする、サイズを小さくする、及び費用を下げる等といった幾つかの共通設計目標を実現するために最良な方法であろう。プロセッサの数を１つに減らすことは、更に、命令セットやマスタしなければならないツールパッケージソフトも少なくするということを意味する。
【００４３】
更に、本発明は、オーディオコンテンツ（１０６）を表現可能なオーディオ表現装置（１０１）により場所認識媒体コンテンツを供給する方法をプロセッサに実行させるプログラムを有するコンピュータ可読媒体に係る。この方法は、処理ユニット（１０３）において、オーディオ表現装置（１０１）の場所を表す少なくとも１つの場所パラメータを得る段階と、上述の処理ユニット（１０３）において、少なくとも１つの場所パラメータに依存する現在のオーディオコンテンツに対する場所認識オーディオコンテンツを得るために、得た少なくとも１つの場所パラメータに基づいて現在のオーディオコンテンツを処理する段階と、オーディオ表現装置（１０１）により得た場所認識オーディオコンンツを表現する段階とを有する。
【００４４】
このコンテキストにおいて、コンピュータ可読媒体は、プログラム記憶媒体、即ち、物理的なコンピュータＲＯＭ及びＲＡＭ、着脱可能又は着脱不可能な記憶ドライブ、磁気テープ、光学ディスク、デジタルバーサタイルディスク（ＤＶＤ）、コンパクトディスク（ＣＤ又はＣＤ−ＲＯＭ）、ミニディスク、ハードディスク、フロッピー（登録商標）ディスク、スマートカード、ＰＣＭＣＩＡカード、例えば、ローカルエリアネットワーク（ＬＡＮ）、ワイドエリアネットワーク（ＷＡＮ）、又は、例えば、インターネット、イントラネット、エキストラネット等の上述したネットワークの任意の組合わせから得られた情報であり得る。
【００４５】
図４は、参照番号（４０５）と示す傾聴者の前に配置される、参照番号（４０６）と示す表示装置に対する場所基準を有し、全て１つ以上の送信器（図示せず）を有する２つのオーディオ表現装置（４０２、４０３）を有する設定を示す。処理手段（３０１）を有するオーディオ源（４０１）上には、参照番号（４０４）と示す１つ以上のセンサが、オーディオ源に取付けられた、オーディオ源の近くにある、又はオーディオ源から遠くにある１つ以上のオーディオ表現装置の位置を見つけるために位置付けられ得る。センサは、オーディオ表現装置上に位置付けられる、又は、オーディオ表現装置に組み込まれる１つ以上の送信器から送信された信号を受信することにより、利用可能なオーディオ表現装置の場所を決定するよう用いられる。オーディオ表現装置（４０２、４０３）の表示装置（４０６）の前のユーザの作業位置に対する場所は、オーディオ源（４０１）により推定され、それにより、上述した方法により所望の音信号を適宜供給するようオーディオ表現装置（４０２、４０３）に情報アイテムを供給する。
【００４６】
オーディオ源は、個々のチャンネル、従って、様々なオーディオ表現装置にオーディオ情報を送信可能なサラウンドサウンド技術によりサポートされ得、それにより、３Ｄ音像を生成し得る。様々な場所における個々のオーディオ表現装置の場所配置パラメータを集めることにより、傾聴経験を空間的に高めるよう適切なオーディオ処理を実行し得る。
【００４７】
同様に、オーディオ表現装置は、オーディオ源に接続可能及び／又は取付け可能、又は、オーディオ源に対し配置され、更に、オーディオ表現装置は、オーディオ源からのコンテンツを受信且つ表現可能である。
【００４８】
本発明の実施例のもう１つの例を図５に示し、ここでは、媒体コンテンツ源（５０１）は、全ての利用可能なオーディオコンテンツを上述した伝送前の処理なく送信する。この例では、コンテンツ処理は、ユーザ表現の前に、オーディオ表現装置（５０２、５０３、５０４、５０５、５０６）、処理手段（図示せず）を有する多数の装置において行われる。各オーディオ表現装置は、コンテンツ源（５０１）から送信される媒体コンテンツを受信する手段（図示せず）と、ユーザ（５０５）に対する場所パラメータを得る手段を有する。ユーザ（５０５）は、自分の位置を任意のオーディオ表現装置に伝えるための場所送信手段（図示せず）を着用するか、又は、場所送信手段が取付けられる。
【００４９】
更に、各オーディオ表現装置は、ユーザに位置に対するオーディオ表現装置の場所に応じて媒体コンテンツを処理する上述したような処理手段を有し得る。
【００５０】
例えば、ユーザの前のオーディオ表現装置（５０３）が、ユーザのすぐ前に位置付けられていることを決定すると、このオーディオ表現装置は５．１サランド信号で中心チャンネルを再生すべきであるとこの装置により決定される。例えば、媒体コンテンツがステレオのみで利用可能である場合、フロントオーディオ表現装置により左オーディオチャネルと右オーディオチャネルの適切な混合等を再生するよう決定され得る。
【００５１】
更に、媒体コンテンツの処理は、利用可能なオーディオ表現装置の能力を含み得る。例えば、スピーカは１０乃至２００Ｈｚの周波数範囲の信号しか再生できないが、媒体コンテンツは、その周波数範囲以外の信号を有し、従って、再生されるべきである場合、このオーディオ表現装置の制限は、処理段階において考慮に入れられてもよい。この再生可能性の欠如は、例えば、媒体コンテンツを、ある場合には別のオーディオ表現装置により適宜処理することにより、処理段階において補正され得る。
【００５２】
図６は、ステレオ再生設定に配置される楽器を示すブロック図である。ステレオ記録は、左チャンネル（６０２）にギターを、右チャンネル（６０３）にドラムセットを有する。本発明のオーディオ表現装置を、傾聴者（１０５）の右奥（６０３）に配置するとき、そのオーディオ装置は、ドラムセットからの音だけを再生するよう構成され得る。オーディオ表現装置を、傾聴者の左奥に置くことは、ギターのみを表現する結果をもたらし得る。例えば、左奥に位置付けられたオーディオ表現装置が、今度は、傾聴者に対し同じ相対方向ではあるが、傾聴者により近くに位置付けられると、オーディオ表現装置は、傾聴者により受け取られる音量レベルが同じとなるよう出力パワーを落とす必要があり得る。
【００５３】
図７は、４チャンネル方式記録設定に配置される楽器を示す別のブロック図である。４つの別個のトラックが記録され、ギター（６０２）、ドラムセット（６０３）、ピアノ（７０１）、及びバイオリン（７０２）を有する。記録段階と同じ環境を再生時にも再現するために、傾聴者（１０５）の周りに配置される４つのオーディオ表現装置が必要となり得る。上述したステレオ記録と同様に、各オーディオ表現装置は、その場所に応じた音材料を再生する。図７における楽器のように四分区分に左右対称に配置されると、各オーディオ表現装置は、単一の楽器のみを実質的に再生する。例えば、第３の四分区分にあるオーディオ表現装置がオフにされると、音像においてピアノ（７０１）は全くか又はほとんど見いだされない。
【００５４】
四分区分の中央にスピーカを配置することにより、例えば、４つの楽器全てが再生され得る。
【００５５】
上述は、本発明の特定の実施例を参照しながら説明したが、当業者は、上述した多くの詳細は、例示的に過ぎず、本発明の範囲から逸脱することなく変更を行い得ることは理解するであろう。
【００５６】
添付される請求項の範囲は、本発明の真の範囲及び精神内に当てはまるそのような変形を含むものとする。開示する実施例は、従って、全ての面において例示的且つ非制限的であり、本発明の範囲は、上述の説明ではなく、添付される特許請求の範囲により画成され、以下の請求項の意味及び等価物の範囲における全ての変更は、本願に含まれるものと考えるものとする。
【図面の簡単な説明】
【００５７】
【図１】基本設定におけるオーディオ源に接続されたオーディオ表現装置を示す図である。
【図２】オーディオ表現装置を用いてコンテンツを表現する方法を示す図である。
【図３】オーディオ源における処理ユニットを示すブロック図である。
【図４】表示装置に対する場所基準を有する２つのオーディオ表現装置を有する設定を示す図である。
【図５】本発明のもう１つの実施例を示す図である。
【図６】ステレオ再生設定に配置された楽器を示すブロック図である。
【図７】４チャンネル方式再生設定に配置された楽器を示すブロック図である。
【図１】
2005538589.tif 000003
【図２】
2005538589.tif 000004
【図３】
2005538589.tif 000005
【図４】
2005538589.tif 000006
【図５】
2005538589.tif 000007
【図６】
2005538589.tif 000008
【図７】
2005538589.tif 000009
【国際調査報告】
2005538589.tif 000010
2005538589.tif 000011